(57)【要約】  本発明は、二重ブラシスティックタイプマスカラ化粧容器に関するもので、第１キャップに上端部が結合されて下端に第１ブラシが具備される第１ブラシスティック及び第２キャップに上端部が結合されて下端に第２ブラシが具備される第２ブラシスティックの二重ブラシスティックタイプが適用されることで、使用上の不注意によりブラシに適用されるブラシの毛やブラシスティックが変形した場合にも容器本体内のマスカラ液を使用することができ、容器本体の開放された上端部を二重に遮断して緊密に密閉する第１密閉具と、第１キャップの開放された上端部を二重に遮断して緊密に密閉する第２密閉具との二重密閉構造が適用されることで、下端にブラシが具備されるブラシスティックの使用時に容器本体内のマスカラ液が大気中の空気と接触することを防止して容器本体内のマスカラ液を全て使用できるようにするものである。
2017510388.tif 000002
【特許請求の範囲】
【請求項１】
マスカラ液を道具を利用してまつげに塗ることができるように構成される二重ブラシスティックタイプマスカラ化粧容器において、
内部にマスカラ液Ｌが収容される収容空間を有し、開放された上端部の外面に螺旋状に結合突起１１０が突出形成される容器本体１００と、
前記容器本体１００の開放された上端部に結合されて開放された上端を密閉する第１密閉具２００と、
前記容器本体１００の結合突起１１０と対応して下端部の内側に結合溝３１０が形成されて前記容器本体１００の上部に下端が結合され、上端と下端が開放され、開放された上端部の外面に雄ねじ３３０が突出形成される第１キャップ３００と、
第１固定部４１０の上端が前記第１キャップ３００の内側の上端部に結合固定され、前記第１固定部４１０の下部から中孔の管状に延長される第１ブラシスティック部４３０の下端に第１ブラシ４５０が結合される第１ブラシスティック４００と、
前記第１ブラシスティック４００の第１固定部４１０の上端に結合され、前記第１ブラシスティック４００が結合される前記第１キャップ３００の開放された上端を密閉する第２密閉具５００と、
下部が開放形成され、前記第１キャップ３００の雄ねじ３３０と対応して下端部の内側に雌ねじ６３０が形成されて前記第１キャップ３００の上部に下端が結合される第２キャップ６００と、
第２固定部７１０の上端が前記第２キャップ６００の内側の上端部に挿入固定され、前記第２固定部７１０の下部から中孔の管状に延長される第２ブラシスティック部７３０の下端に第２ブラシ７５０が結合され、前記第２ブラシ７５０が前記第１ブラシ４５０の内側に挿設され、前記第２ブラシスティック部７３０が前記第１ブラシスティック部４３０の内側に挿設される第２ブラシスティック７００と、を含んで構成されることを特徴とする二重ブラシスティックタイプマスカラ化粧容器。
【請求項２】
前記第２キャップ６００が結合された状態で第１キャップ３００を分離する場合に、前記第１ブラシスティック４００の第１ブラシスティック部の下端に結合された前記第１ブラシ４５０についたマスカラ液Ｌが一定量除去されるように、下端に内向のラウンド状に外部ワイパー部２１０’が形成されて前記第１密閉具２００の下部に結合される外部ワイパー２００’をさらに含んで構成されることを特徴とする請求項１に記載の二重ブラシスティックタイプマスカラ化粧容器。
【請求項３】
前記第２キャップ６００を分離する場合に、前記第２ブラシスティック７００の第２ブラシスティック部７３０の下端に結合された第２ブラシ７５０についたマスカラ液が一定量除去されるように、前記第１ブラシ４５０の内側の上端部には突起型内部ワイパー４５５が内側に突出形成されることを特徴とする請求項１に記載の二重ブラシスティックタイプマスカラ化粧容器。
【請求項４】
前記第１ブラシ４５０は、内側に挿設される前記第２ブラシ７５０上に前記容器本体１００内のマスカラ液Ｌがつくように、底面中央には円形で通孔４５７が貫通形成され、側面まわりに沿ってはブラシの毛４５１の間ごとに上下方向に長い長孔タイプで通孔４５７が貫通形成されることを特徴とする請求項１に記載の二重ブラシスティックタイプマスカラ化粧容器。
【請求項５】
前記第１ブラシ４５０のブラシの毛４５１は、円錐状の軟質合成樹脂毛タイプで提供され、
前記第２ブラシ７５０のブラシの毛７５１は、円錐状の硬質合成樹脂またはナイロン毛タイプで提供されることを特徴とする請求項１または請求項４に記載の二重ブラシスティックタイプマスカラ化粧容器。
【請求項６】
前記第１ブラシスティック４００は、前記第１固定部４１０から延長される前記第１ブラシスティック部４３０の上端の一定長さに対して上側に外向の傾斜状に拡張される第１拡張部４２０が形成され、
前記第１密閉具２００は、前記第１拡張部４２０の外面が密着されるように、開放された内側の上端部一定長さに対して上向の外側に傾いて拡張されながら第１遮断突部２１０が形成され、前記第１ブラシスティック４００の第１ブラシスティック部４３０の底面と密着される上面縁部に沿って延長されて第２遮断突部２２０が上側に突出形成されることを特徴とする請求項１に記載の二重ブラシスティックタイプマスカラ化粧容器。
【請求項７】
前記第２ブラシスティック７００は、前記第２固定部７１０から延長される前記第２ブラシスティック部７３０の上端の一定長さに対して上側に外向の傾斜状に拡張される第２拡張部７２０が形成され、
前記第２密閉具５００は、前記第２拡張部７２０の外面が密着されるように、開放された内側の上端部一定長さに対して上向の外側に傾いて拡張されながら第１遮断突部５１０が形成され、前記第２ブラシスティック７００の第２ブラシスティック部７３０の底面と密着される上面縁部に沿って延長されて第２遮断突部５２０が上側に突出形成されることを特徴とする請求項１に記載の二重ブラシスティックタイプマスカラ化粧容器。
【請求項８】
前記第１ブラシスティック４００の前記第１固定部４１０の上端が前記第１キャップ３００の内側の上端部に結合固定されるものの、
前記第１固定部４１０の上端部の外面に固定溝４１１が陷沒形成され、前記第１キャップ３００の上端部の内面に前記固定溝４１１と対応する固定突起３５１が突出形成され、前記固定溝４１１に前記固定突起３５１が結合されて前記第１ブラシスティック４００の前記第１固定部４１０の上端が前記第１キャップ３００の内側の上端部に結合固定されることを特徴とする請求項１に記載の二重ブラシスティックタイプマスカラ化粧容器。
【発明の詳細な説明】
【技術分野】
【０００１】
本発明は、二重ブラシスティックタイプマスカラ化粧容器に関し、より詳細には、第１キャップに上端部が結合されて下端に第１ブラシが具備される第１ブラシスティック及び第２キャップに上端部が結合されて下端に第２ブラシが具備される第２ブラシスティックの二重ブラシスティックタイプが適用されることで、使用上の不注意によるブラシに適用されるブラシの毛やブラシスティックの変形時にも容器本体内のマスカラ液を使用することができると共に、容器本体の開放された上端部を２重に遮断して緊密に密閉する第１密閉具と、第１キャップの開放された上端部を２重に遮断して緊密に密閉する第２密閉具との２重密閉構造が適用されることで、下端にブラシが具備されるブラシスティックの使用時に容器本体内のマスカラ液が大気中の空気と接触することを防止して容器本体内のマスカラ液全体に対する使用ができるようにした二重ブラシスティックタイプマスカラ化粧容器に関する。
【背景技術】
【０００２】
一般的に、マスカラ化粧容器は、女性が使用する化粧品の一種として、目の美しさを引き立たせるために、まつげに多様な色相のマスカラ液を塗るために使用するものである。
【０００３】
このようなマスカラ化粧容器は、通常、マスカラ液が保存される容器と、前記容器を開閉するための把持部と、前記把持部の下部に突出される棒状のブラシスティック及び前記ブラシスティックに形成されたブラシからなって、前記把持部と容器の結合または分離によって前記ブラシにマスカラ液をつけて使用している実情である。
【０００４】
特に、前述のように形成されたマスカラブラシは、毛の長さと形態によって、まつげに対するボリューム（Ｖｏｌｕｎｅ：まつげが多く見えるようにする効果）、カール（Ｃｕｒｌ：まつげの毛先を上方に巻き上げる効果）、ロングラッシュ（Ｌｏｎｇ  ｌａｓｈ：まつげが長く見えるようにする効果）、クリーン（Ｃｌｅａｎ：まつげのマスカラがタマにならないようにする効果）などの多様な機能に合わせて製作されている。
【０００５】
図１は、従来技術によるマスカラ化粧容器を示した例示図である。
【０００６】
図１に示したように、従来のマスカラ化粧容器は、マスカラ液１１が収容される容器本体１０と、前記容器本体１０の入口１２に螺合方式で締結されて開閉されるキャップ２０と、を含んで構成される。
【０００７】
この時、前記キャップ２０には、ブラシ３１が付着されたブラシスティック３０が取り付けられていて、キャップ２０を閉めると、ブラシ３１と一緒にブラシスティック３０が容器本体１０に収容される。
【０００８】
また、前記キャップ２０を開放すると、マスカラ液１１が前記ブラシ３１についた状態で引き出されることで、これを使用することができる。
【０００９】
しかし、このような従来のマスカラ化粧容器は、キャップ２０に付着されたブラシスティック３０を利用して化粧する途中に容器本体１０に収容されたマスカラ液が大気中の空気と容易に接触し、これによって、含有された揮発性物質が空気中に揮発してマスカラ液が固まりやすいとの問題がある。
【００１０】
特に、容器本体１０の内壁に相当なマスカラ液がくっついた状態で固まってしまい、使用もせず廃棄したり、壁面に付いて固まったマスカラ液を使用するために容器本体１０にアルコールまたはアセトンのような揮発性物質を注いで希薄したりする使用上の不便さがあった。
【００１１】
また、ブラシに適用されるブラシ３１が付着されたブラシスティック３０が一つで具備されるので、ブラシ３１やブラシスティック３０が使用上の不注意により変更した時、容器本体１０内に残ったマスカラ液を使用することができないので、マスカラ化粧容器を廃棄しなければならないとの問題があった。
【００１２】
したがって、キャップと上端が連結されて下端にブラシに適用されるブラシの毛が付着されたブラシスティックの使用時に、容器本体内のマスカラ液が大気中の空気と接触することを防止して、容器本体内のマスカラ液を全て使用可能にすると共に、使用上の不注意によりブラシに適用されるブラシの毛やブラシスティックが変形した場合にも容器本体内のマスカラ液が使用できるようにするマスカラ化粧容器に対する研究及び開発が要求されている実情である。
【先行技術文献】
【特許文献】
【００１３】
【特許文献１】大韓民国登録特許第１３７１５９２号（２０１４．０３．０３．登録）
【発明の概要】
【発明が解決しようとする課題】
【００１４】
したがって、前記のような従来の諸問題点を解消するために提案されたものであって、本発明の目的は、第１キャップに上端部が結合されて下端に第１ブラシが具備される第１ブラシスティック及び第２キャップに上端部が結合されて下端に第２ブラシが具備される第２ブラシスティックの二重ブラシスティックタイプが適用されることで、使用上の不注意によりブラシに適用されるブラシの毛やブラシスティックが変形した場合にも容器本体内のマスカラ液が使用できるようにする二重ブラシスティックタイプマスカラ化粧容器を提供することにある。
【００１５】
本発明に係る技術の他の目的は、容器本体の開放された上端部を二重に遮断して緊密に密閉する第１密閉具と、第１キャップの開放された上端部を二重に遮断して緊密に密閉する第２密閉具と、の二重密閉構造が適用されることで、下端にブラシが具備されるブラシスティックの使用時に、容器本体内のマスカラ液が大気中の空気と接触することを防止して容器本体内のマスカラ液を全て使用可能にする二重ブラシスティックタイプマスカラ化粧容器を提供することにある。
【課題を解決するための手段】
【００１６】
前記目的を達成するための本発明は、次のとおりである。すなわち、本発明による二重ブラシスティックタイプマスカラ化粧容器は、マスカラ液を道具を利用してまつげに塗ることができるように構成される二重ブラシスティックタイプマスカラ化粧容器において、内部にマスカラ液が収容される収容空間を有し、開放された上端部の外面に螺旋状に結合突起が突出形成される容器本体；前記容器本体の開放された上端部に結合されて開放された上端を密閉する第１密閉具；前記容器本体の結合突起と対応して下端部の内側に結合溝が形成され、前記容器本体の上部に下端が結合され、上端と下端が開放されて開放された上端部の外面に雄ねじが突出形成される第１キャップ；第１固定部の上端が前記第１キャップの内側の上端部に結合固定され、前記第１固定部の下部から中孔の管状に延長される第１ブラシスティック部の下端に第１ブラシが結合される第１ブラシスティック；前記第１ブラシスティックの第１固定部の上端に結合され、前記第１ブラシスティックが結合される前記第１キャップの開放された上端を密閉する第２密閉具；下部が開放形成され、前記第１キャップの雄ねじと対応して下端部の内側に雌ねじが形成されて前記第１キャップの上部に下端が結合される第２キャップ；及び第２固定部の上端が前記第２キャップの内側の上端部に挿入固定され、前記第２固定部の下部から中孔の管状に延長される第２ブラシスティック部の下端に第２ブラシが結合され、前記第２ブラシが前記第１ブラシの内側に挿設され、前記第２ブラシスティック部が前記第１ブラシスティック部の内側に挿設される第２ブラシスティックを含んで構成される。
【００１７】
ここで、前記第２キャップが結合された状態で第１キャップを分離する場合に、前記第１ブラシスティックの第１ブラシスティック部の下端に結合された前記第１ブラシについたマスカラ液が一定量除去されるように、下端に内向のラウンド状に外部ワイパー部が形成されて前記第１密閉具の下部に結合される外部ワイパーをさらに含んでなることが好ましい。
【００１８】
また、前記第２キャップを分離する場合に、前記第２ブラシスティックの第２ブラシスティック部の下端に結合された第２ブラシについたマスカラ液が一定量除去されるように、前記第１ブラシの内側の上端部には突起型内部ワイパーが内側に突出形成されることが好ましい。
【００１９】
また、前記第１ブラシは、内側に挿設される前記第２ブラシ上に前記容器本体内のマスカラ液がつくように、底面中央には円形で通孔が貫通形成され、側面の周りに沿ってはブラシの毛の間ごとに上下方向に長い長孔タイプで通孔が貫通形成されることが好ましい。
【００２０】
さらに、前記第１ブラシのブラシの毛は、円錐状軟質合成樹脂毛タイプで提供され、前記第２ブラシのブラシの毛は、円錐状の硬質合成樹脂またはナイロン毛タイプで提供されることが好ましい。
【００２１】
また、前記第１ブラシスティックは、前記第１固定部から延長される前記第１ブラシスティック部の上端の一定長さに対して上側に外向の傾斜状に拡張される第１拡張部が形成され、前記第１密閉具は、前記第１拡張部の外面が密着されるように、開放された内側の上端部一定長さに対して上向の外側に傾いて拡張されながら第１遮断突部が形成され、前記第１ブラシスティックの第１ブラシスティック部の底面と密着される上面縁部に沿って延長されて第２遮断突部が上向に突出形成されることが好ましい。
【００２２】
また、前記第２ブラシスティックは、前記第２固定部から延長される前記第２ブラシスティック部の上端の一定長さに対して上側に外向の傾斜状に拡張される第２拡張部が形成され、前記第２密閉具は、前記第２拡張部の外面が密着されるように、開放された内側の上端部の一定長さに対して上向の外側に傾いて拡張されながら第１遮断突部が形成され、前記第２ブラシスティックの第２ブラシスティック部の底面と密着される上面縁部に沿って延長されて第２遮断突部が上向に突出形成されることが好ましい。
【００２３】
さらに、前記第１ブラシスティックの前記第１固定部の上端が前記第１キャップの内側の上端部に結合固定され、前記第１固定部の上端部の外面に固定溝が陷沒形成され、前記第１キャップの上端部の内面に前記固定溝と対応する固定突起が突出形成され、前記固定溝に前記固定突起が結合されて前記第１ブラシスティックの前記第１固定部の上端が前記第１キャップの内側の上端部に結合固定されることが好ましい。
【発明の効果】
【００２４】
本発明による二重ブラシスティックタイプマスカラ化粧容器の効果は、次のとおりである。
【００２５】
１．第１キャップに上端部が結合されて下端に第１ブラシが具備される第１ブラシスティック及び第２キャップに上端部が結合されて下端に第２ブラシが具備される第２ブラシスティックの二重ブラシスティックタイプが適用されることで、使用上の不注意によりブラシに適用されるブラシの毛やブラシスティックが変形した場合にも容器本体内のマスカラ液を使用することができる。
【００２６】
２．容器本体の開放された上端部を二重に遮断して緊密に密閉する第１密閉具と、第１キャップの開放された上端部を二重に遮断して緊密に密閉する第２密閉具との二重密閉構造が適用されることで、下端にブラシが具備されるブラシスティックの使用時に容器本体内のマスカラ液が大気中の空気と接触することを防止して容器本体内のマスカラ液を全て使用することが可能である。
【図面の簡単な説明】
【００２７】
【図１】従来技術によるマスカラ化粧容器を示した例示図である。
【図２】本発明による二重ブラシスティックタイプマスカラ化粧容器を示した分離斜視構成図である。
【図３】本発明による二重ブラシスティックタイプマスカラ化粧容器を示した結合斜視構成図である。
【図４】本発明による二重ブラシスティックタイプマスカラ化粧容器を示した結合断面構成図である。
【図５】本発明による二重ブラシスティックタイプマスカラ化粧容器において、要部である容器本体と第１キャップの内部結合構造を示した要部断面構成図である。
【図６】本発明による二重ブラシスティックタイプマスカラ化粧容器において、要部である第１キャップと第２キャップの内部結合構造を示した要部断面構成図である。
【図７】本発明による二重ブラシスティックタイプマスカラ化粧容器の使用時、第１キャップを分離して第１ブラシスティックを使用するための分離状態を示した使用状態の分離斜視構成図である。
【図８】本発明による二重ブラシスティックタイプマスカラ化粧容器の使用時、第２キャップを分離して第２ブラシスティックを使用するための分離状態を示した使用状態の分離斜視構成図である。
【発明を実施するための形態】
【００２８】
以下、添付図面を参照して本発明による二重ブラシスティックタイプマスカラ化粧容器の好ましい実施例について詳しく説明する。
【００２９】
図２は、本発明による二重ブラシスティックタイプマスカラ化粧容器を示した分離斜視構成図であり、図３は、本発明による二重ブラシスティックタイプマスカラ化粧容器を示した結合斜視構成図であり、図４は、本発明による二重ブラシスティックタイプマスカラ化粧容器を示した結合断面構成図である。
【００３０】
図５は、本発明による二重ブラシスティックタイプマスカラ化粧容器において、要部である容器本体と第１キャップの内部結合構造を示した要部断面構成図であり、図６は、本発明による二重ブラシスティックタイプマスカラ化粧容器において、要部である第１キャップと第２キャップの内部結合構造を示した要部断面構成図である。
【００３１】
図７は、本発明による二重ブラシスティックタイプマスカラ化粧容器の使用時、第１キャップを分離して第１ブラシスティックを使用するための分離状態を示した使用状態の分離斜視構成図であり、図８は、本発明による二重ブラシスティックタイプマスカラ化粧容器の使用時、第２キャップを分離して第２ブラシスティックを使用するための分離状態を示した使用状態の分離斜視構成図である。
【００３２】
図２〜図８に示したように、本発明の好ましい実施例による二重ブラシスティックタイプマスカラ化粧容器は、マスカラ液を道具を利用してまつげに塗ることができるように構成されるもので、容器本体１００、第１密閉具２００、第１キャップ３００、第１ブラシスティック４００、第２密閉具５００、第２キャップ６００及び第２ブラシスティック７００を含んで構成される。
【００３３】
ここで、前記容器本体１００は、内部にマスカラ液Ｌが収容される収容空間を有し、開放された上端部の外面に螺旋状に結合突起１１０が突出形成される。
【００３４】
また、前記第１密閉具２００は、前記容器本体１００の開放された上端部に結合されて開放された上端を密閉する。
【００３５】
そして、前記第１キャップ３００は、前記容器本体１００の結合突起１１０と対応して下端部の内側に結合溝３１０が形成されて前記容器本体１００の上部に下端が結合され、上端と下端が開放され、開放された上端部の外面に雄ねじ３３０が突出形成される。
【００３６】
また、前記第１ブラシスティック４００は、第１固定部４１０の上端が前記第１キャップ３００の内側の上端部に結合固定され、前記第１固定部４１０の下部から中孔の管状に延長される第１ブラシスティック部４３０の下端に第１ブラシ４５０が結合される。
【００３７】
一方、前記第２密閉具５００は、前記第１ブラシスティック４００の第１固定部４１０の上端に結合され、前記第１ブラシスティック４００が結合される前記第１キャップ３００の開放された上端を密閉する。
【００３８】
また、前記第２キャップ６００は、下部が開放形成されるものの、前記第１キャップ３００の雄ねじ３３０と対応して下端部の内側に雌ねじ６３０が形成されて前記第１キャップ３００の上部に下端が結合される。
【００３９】
そして、前記第２ブラシスティック７００は、第２固定部７１０の上端が前記第２キャップ６００の内側の上端部に挿入固定される。
【００４０】
このような第２ブラシスティック７００は、特に、前記第２固定部７１０の下部から中孔の管状に延長される第２ブラシスティック部７３０の下端に第２ブラシ７５０が結合され、前記第２ブラシ７５０が前記第１ブラシ４５０の内側に挿設され、前記第２ブラシスティック部７３０が前記第１ブラシスティック部４３０の内側に挿設される。
【００４１】
すなわち、本発明は、前記のような構成を通じて、前記第２ブラシスティック７００が第１ブラシスティック４００の内側に挿設される二重ブラシスティックタイプで提供される。
【００４２】
一方、前述のような本発明による二重ブラシスティックタイプマスカラ化粧容器は、前記第２キャップ６００が結合された状態で第１キャップ３００を分離する場合に、前記第１ブラシスティック４００の第１ブラシスティック部の下端に結合された前記第１ブラシ４５０についたマスカラ液Ｌが一定量除去されるようにすることが重要である。
【００４３】
したがって、下端に内向のラウンド状に外部ワイパー部２１０’が形成されて前記第１密閉具２００の下部に結合される外部ワイパー２００’をさらに含んで構成されることが好ましい。
【００４４】
また、前記第２キャップ６００を分離する場合には、前記第２ブラシスティック７００の第２ブラシスティック部７３０の下端に結合された第２ブラシ７５０についたマスカラ液が一定量除去されるようにすることが重要であり、これによって、前記第１ブラシ４５０の内側の上端部には突起型内部ワイパー４５５が内側に突出形成される。
【００４５】
そして、前記第１ブラシ４５０は、内側に挿設される前記第２ブラシ７５０上に前記容器本体１００内のマスカラ液Ｌがつくように、その底面中央には円形で通孔４５７が貫通形成され、側面のまわりに沿ってはブラシの毛４５１の間ごとに上下方向に長い長孔タイプで通孔４５７が貫通形成されることが好ましい。
【００４６】
言い換えると、前記第１ブラシ４５０の底面に形成された通孔４５７は、円状で貫通形成されることが好ましくて、前記第１ブラシ４５０の側面まわりに沿ってブラシの毛４５１の間ごとに貫通形成される通孔４５７は、前記第１ブラシ４５０の長手方向に長く形成された長孔タイプで貫通形成されることが好ましい。
【００４７】
また、前記第１ブラシ４５０のブラシの毛４５１は、円錐状の軟質合成樹脂毛タイプで提供されることが好ましい。
【００４８】
さらに、前記第２ブラシ７５０のブラシの毛７５１は、円錐状の硬質合成樹脂またはナイロン毛タイプで提供されることが好ましい。
【００４９】
一方、前記第１ブラシスティック４００は、前記第１固定部４１０から延長される前記第１ブラシスティック部４３０の上端の一定長さに対して上側に外向の傾斜状に拡張される第１拡張部４２０が形成される。
【００５０】
そして、前記第１密閉具２００は、前記第１拡張部４２０の外面が密着されるように、開放された内側の上端部の一定長さに対して上向の外側に傾いて拡張されながら第１遮断突部２１０が形成され、前記第１ブラシスティック４００の第１ブラシスティック部４３０の底面と密着される上面縁部に沿って延長されて第２遮断突部２２０が上向に突出形成される。
【００５１】
この時、前記第１密閉具２００は、シリコンやゴムなどの弾力を有する材質で提供されることが好ましい。これによって、前記第１遮断突部２１０は、前記第１拡張部４２０の密着結合によって前記第１拡張部４２０の外面に対して微小に押されながら弾力的により緊密に密着される。
【００５２】
さらに、前記のような第１遮断突部２１０とともに、前記第２遮断突部２２０がさらに形成されることで、前記第２遮断突部２２０により前記容器本体１００内に収容されたマスカラ液Ｌに対する前記容器本体１００と前記第１ブラシスティック４００との結合部分に対して二重に大気中の空気と接触することを防止すると同時に、マスカラ液Ｌが外部に漏れることを防止することができる。
【００５３】
また、前記第２ブラシスティック７００は、前記第２固定部７１０から延長される前記第２ブラシスティック部７３０の上端の一定長さに対して、上側に外向の傾斜状に拡張される第２拡張部７２０が形成される。
【００５４】
また、前記第２密閉具５００は、前記第２拡張部７２０の外面が密着されるように、開放された内側の上端部の一定長さに対して、上向の外側に傾いて拡張されながら第１遮断突部５１０が形成され、前記第２ブラシスティック７００の第２ブラシスティック部７３０の底面と密着される上面縁部に沿って延長されて第２遮断突部５２０が上側に突出形成される。
【００５５】
ここで、前記第２密閉具５００は、シリコンやゴムなどの弾力を有する材質で提供されることで、前記第１遮断突部５１０は、前記第２拡張部７２０の密着結合によって前記第２拡張部７２０の外面に対して微小に押されながら弾力的により緊密に密着されることができる。
【００５６】
さらに、前記のような第１遮断突部５１０とともに、前記第２遮断突部５２０がさらに形成されることで、前記第２遮断突部５２０により前記容器本体１００内に収容されたマスカラ液Ｌに対する前記容器本体１００と前記第２ブラシスティック７００の結合部分に対して二重に大気中の空気と接触することを防止すると同時に、マスカラ液Ｌが外部に漏れることを防止することができる。
【００５７】
一方、前述のような本発明による二重ブラシスティックタイプマスカラ化粧容器は、前記第１ブラシスティック４００の前記第１固定部４１０の上端が前記第１キャップ３００の内側の上端部に結合固定されるものの、前記第１固定部４１０の上端部の外面に固定溝４１１が陷沒形成される。
【００５８】
さらに、前記第１キャップ３００の上端部の内面に前記固定溝４１１と対応する固定突起３５１が突出形成される。
【００５９】
すなわち、前記のような構成を通じて前記固定溝４１１に前記固定突起３５１が結合されることで、前記第１ブラシスティック４００の前記第１固定部４１０の上端が前記第１キャップ３００の内側の上端部に結合固定される。
【００６０】
前述のような本発明による二重ブラシスティックタイプマスカラ化粧容器によれば、第１キャップ３００に上端部が結合されて下端に第１ブラシ４５０が具備される第１ブラシスティック４００及び第２キャップ６００に上端部が結合されて下端に第２ブラシ７５０が具備される第２ブラシスティック７００の二重ブラシスティックタイプが適用されることで、使用上の不注意によりブラシに適用されるブラシの毛やブラシスティックが変形した場合にも容器本体１００内のマスカラ液Ｌを使用することができる。
【００６１】
さらに、容器本体１００の開放された上端部を二重に遮断して緊密に密閉する第１密閉具２００と、第１キャップ３００の開放された上端部を二重に遮断して緊密に密閉する第２密閉具５００との二重密閉構造が適用されることで、下端にブラシが具備されるブラシスティックの使用時に容器本体１００内のマスカラ液Ｌが大気中の空気と接触することを防止して容器本体１００内のマスカラ液Ｌを全て使用することが可能になる。
【００６２】
以上、添付した図面を参照して本発明の具体的な実施形態について説明したが、本発明はこれに限定されるものではなく、本発明は、当該発明が属する技術分野での通常の知識を有する者により多様な変形の実施が可能であり、このような変形は本発明の範囲に含まれるものである。
【符号の説明】
【００６３】
１００：容器本体
１１０：結合突起
２００：第１密閉具
２１０：第１遮断突部
２２０：第２遮断突部
２００’：外部ワイパー
２１０’：外部ワイパー部
３００：第１キャップ
３１０：結合溝
３３０：雄ねじ
３５１：固定突起
４００：第１ブラシスティック
４１０：第１固定部
４１１：固定溝
４２０：第１拡張部
４３０：第１ブラシスティック部
４５０：第１ブラシ
４５１：ブラシの毛
４５５：内部ワイパー
４５７：通孔
５００：第２密閉具
５１０：第１遮断突部
５２０：第２遮断突部
６００：第２キャップ
６３０：雌ねじ
７００：第２ブラシスティック
７１０：第２固定部
７２０：第２拡張部
７３０：第２ブラシスティック部
７５０：第２ブラシ
７５１：ブラシの毛
Ｌ：マスカラ液
【図１】
2017510388.tif 000003
【図２】
2017510388.tif 000004
【図３】
2017510388.tif 000005
【図４】
2017510388.tif 000006
【図５】
2017510388.tif 000007
【図６】
2017510388.tif 000008
【図７】
2017510388.tif 000009
【図８】
2017510388.tif 000010
【国際調査報告】
2017510388.tif 000011
2017510388.tif 000012
2017510388.tif 000013
2017510388.tif 000014